【手続補正書】
【提出日】平成20年9月19日(2008.9.19)
【手続補正１】
【補正対象書類名】特許請求の範囲
【補正対象項目名】全文
【補正方法】変更
【補正の内容】
【特許請求の範囲】
【請求項１】
歯科用工具であって、
少なくとも部分的に中空の内部と、末端部と、基端部とを有する細長いハウジングと、
そこから該ハウジングの一端へと延びて該ハウジングの一端に結合された、歯の表面に接触するための歯接触部を有する、少なくとも一つの歯科用チップと、
前記ハウジング内に配置されて前記ハウジング内に支持された少なくとも一つの振動モジュールと、
前記ハウジング内に配置され、前記振動モジュールを駆動するための少なくとも一つの電源とを含み、
前記歯科用チップは、歯石落としチップ、歯内療法用やすり、歯用やすり、リーマー、および歯の孔ぐり具からなるグループの中から選択されることを特徴とする歯科用工具。
【請求項２】
歯科用工具であって、
少なくとも部分的に中空の内部と、末端部と、基端部とを有する細長いハウジングと、
そこから該ハウジングの一端へと延びて該ハウジングの一端に結合された、歯の表面に接触するための歯接触部を有する、少なくとも一つの歯科用チップと、
前記ハウジング内に配置されて前記ハウジング内に支持された少なくとも振動モジュールと、
前記ハウジング内に配置され、前記振動モジュールを駆動するための少なくとも一つの電源と、
前記ハウジング上に実質的に配置され、前記チップを回転させる少なくとも一つの回転ヘッドと、
を含むことを特徴とする歯科用工具。
【請求項３】
歯科用工具のセットであって、
それぞれが少なくとも一部分を握りのためのハンドルとして有し、該ハンドル部分が種々の直径を有する、細長いハウジングのセットと、
それぞれが、そこから前記ハウジングのそれぞれの一端へと延びて前記ハウジングのそれぞれの一端に結合された、歯の表面に接触するための歯接触部を有する、同一の作業チップのセットとを備え、
少なくとも一つの振動モジュールが前記ハウジング内に配置されて前記ハウジング内に支持され、また、前記振動モジュールを駆動するための少なくとも一つの電源が前記ハウジング内に配置されていることを特徴とする歯科用工具のセット。
【請求項４】
前記振動モジュールは、偏心した重りを回転させて前記工具に振動を起こすようになされた小型のモーターを含むことを特徴とする、請求項１、２、または３に記載の歯科用工具。
【請求項５】
前記振動モジュールは、前記ハウジングおよび前記チップに振動を生じさせて、前記歯の表面上での前記チップの前記歯接触部の動作を容易にすることを特徴とする、請求項１、２、または３に記載の歯科用工具。
【請求項６】
前記ハウジングは、一端の方に、円錐形部分、カラー、およびそれらの組み合わせからなるグループの中から選択される構造を含むことを特徴とする、請求項１乃至５のいずれかに記載の歯科用工具。
【手続補正２】
【補正対象書類名】明細書
【補正対象項目名】０００２
【補正方法】変更
【補正の内容】
【０００２】
本願は以下の米国特許出願、すなわち、同時に出願された“Dental Instruments With Stress Relief”と題する米国特許出願第１１／２３０，７１２号、および同時に出願された“Dental Instruments Having Durable Coatings”と題する米国特許出願第１１／２３０，６０５号に関連し、両者の内容は参照によってここに含まれる。
【手続補正３】
【補正対象書類名】明細書
【補正対象項目名】００３９
【補正方法】変更
【補正の内容】
【００３９】
図５は、本発明の他の実施例の切り取り図を示し、動的に不均等な負荷５０２の例を示している。図示したように、図５の装置５００はハウジング１０２と、シーラーチップ１０４を含む。図５の実施例において、楕円形の負荷５０２の回転軸はハウジング１０２の長手方向の軸５０４に対して横切るように向いている。従って、動的に不均等な負荷、例えば楕円形の負荷５０２の回転軸５０Ｓは、この切り取り図の平面に直角に向いている。
【手続補正４】
【補正対象書類名】明細書
【補正対象項目名】００４０
【補正方法】変更
【補正の内容】
【００４０】
この回転軸５０６の方向は、例えば回転電気モーター５０８の出力軸をギアボックス５１０の機械的入力に接続することによって達成される。代表的一実施例において、ギアボックス５１０は互いに直角な角度を向いた二つのべべルギアを含む。二つのべべルギアのうち第１のギアは電気モーターの出力軸に結合され、二つのべべルギアのうち第２のギアはギアボックスの出力軸、したがって、偏心負荷５０２を一例とする動的に不均等な負荷に結合されている。二つのべべルギアは各々歯を持ち、回転中かみ合ってモーター５０８からのエネルギーを偏心負荷５０２に伝える。べべルギアは、例えばステンレス鋼、チタン、ニッケルチタンおよびチタン−アルミニウム−バナジウム合金のようなチタン合金、
アルミニウム、アルミニウム合金、タングステンカーバイド合金、およびそれらの組み合わせのような、任意の適切な材料で形成される。
【手続補正５】
【補正対象書類名】明細書
【補正対象項目名】００５４
【補正方法】変更
【補正の内容】
【００５４】
ハンドルはさらに、図８に例示するように人間工学的に設計されてもよい。種々の直径を持った装置の詳細は、”Dental Instruments with Stress Relief”と題する仮出願の出願番号第６０／６２４，８４０号、および同時出願の米国特許出願番号第１１／２３０，７１２号に述べられており、両者の内容は参照によってここに含まれる。
【手続補正６】
【補正対象書類名】明細書
【補正対象項目名】００６５
【補正方法】変更
【補正の内容】
【００６５】
いくつかの実施例において、上記の突起および／または細い溝の代わりに、図８ｅに例示するように、ハンドル部分の上にフィットするようなスリーブタイプの構造であるハンドグリップ１０４０ａで作られ、同じく図８ｅに描かれているように使用中装置の把持を容易にする。図３に示すような実施例において、ハンドグリップ１０３はハンドル１０２の大きな部分を覆っている。そのようなハンドグリップは一般に弾性があり、重合体のチップの製造に適した上述のポリマーや化合物を含む、オートクレーブや高温消毒プロセスに適する高温樹脂製である。実際にはオートクレーブに耐えられる任意の高温樹脂が使用可能である。
【手続補正７】
【補正対象書類名】明細書
【補正対象項目名】００６７
【補正方法】変更
【補正の内容】
【００６７】
図８ｅに示すように、ハンドルは、チップが両端部から延びているときには握りの領域よりは小さな円周の中央部を持った三角形状であっても良い。上記中央部は円形であってもよい。この両方の形状も、例えば把持を容易にするための握り領域について図９に例示した１０４０のように、突起または細い溝が形成されても良い。
【手続補正８】
【補正対象書類名】明細書
【補正対象項目名】００６８
【補正方法】変更
【補正の内容】
【００６８】
本発明の一態様によれば、図３および図８ｅに示すように、ハンドル部１０２および８０２内に振動機構が含まれる。振動機構は、ハンドル１０２またはその部分８０２の外表面１０１の振動する揺れを引き起こすようになされている。振動する揺れは柔軟で弾性的なリニアモード、または回転モードを含む、さまざまな振動モードを含む。本発明の一実施例によれば、装置は、上述したように、ハンドグリップとして機能する、ハンドル１０２の外表面１０１上に設けられる弾性材料１０３（または図８ｅの外表面８０１上の８０３）を含んでいる。弾性材料１０３または８０３は、装置を使用している間中歯科専門家の握りを和らげるよう機能する。一態様によれば、本発明はハンドル部１０２または８０
２に各々支えられるスイッチデバイス１０６または８０６を含む。このスイッチデバイス１０６または１０８は、ユーザーがハンドル部１０２または８０６内に配置された振動機構を作動させ、または不作動化することを可能にする。
【手続補正９】
【補正対象書類名】明細書
【補正対象項目名】００７９
【補正方法】変更
【補正の内容】
【００７９】
ハンドグリップは握りの直径を変えて作られ、一日を通じて交換可能に使用されるように設計され、より人間工学的に設計されたハンドルと組み合わされても良い。
直径を変化させることについては、２００４年１１月３日米国仮出願の“Dental Instrument with Stress Relief”と題する 第６０／６２４，８４０号、および同日出願の“Dental Instrument with Stress Relief”と題する米国特許出願第１１／２３０，７１２号に述べられており、両者の内容は参照によってここに含まれる。
【手続補正１０】
【補正対象書類名】明細書
【補正対象項目名】００８１
【補正方法】変更
【補正の内容】
【００８１】
チップの周辺では、使用中に摩擦力による熱を生じやすい。したがって、高い潤滑性を持つコーティングは一般的に摩擦力、ひいては発生する熱を減少させることが出来、歯の処置の間、患者の不愉快さを減らすこととなる。高い潤滑性を有する適切なコーティングは、少なくとも約５原子パーセントの水素（5 atomic percent of hydrogen）を含むダイヤモンドライクカーボン（ＤＬＣ）を含む。耐性のあるコーティングの詳細は、２００４年９月２１日出願の“Dental Tool Having A Durable Coating”と題する米国特許仮出願第６０／６１２，２８３号、および同時出願の“Dental Tool Having A Durable Coating”と題する米国特許出願第１１／２３０，６０５号に述べられており、両者の内容は参照によってここに含まれる。
【手続補正１１】
【補正対象書類名】明細書
【補正対象項目名】００９０
【補正方法】変更
【補正の内容】
【００９０】
【図１】図１は、従来の受動型の歯科用工具を示す。
【図２】図２は、本発明の一実施例による能動型の歯科用工具を示す。
【図３】図３は、本発明の一実施例による能動型の歯科用工具を示す。
【図３ａ】図３ａは、本発明の一実施例による歯科用工具のさまざまな機能要素を描いたブロック図を示す。
【図４ａ】図４ａは、本発明の一実施例による能動型の歯科用装置の切り取り図を示す。
【図４ｂ】図４ｂは、本発明の一実施例による能動型の歯科用装置のための楕円形の負荷を示す。
【図４ｃ】図４ｃは、本発明の他の実施例による能動型の歯科用装置のための楕円形の負荷を示す。
【図４ｄ】図４ｄは、本発明の更に他の実施例による能動型の歯科用装置のための楕円形の負荷を示す。
【図５】図５は、本発明のさらなる実施例による能動型の歯科用装置の切り取り図を示す。
【図６】図６は、本発明のさらなる実施例による、直線振動デバイスを含む能動型の歯科用装置の切り取り図を示す。
【図７ａ】図７ａは、異なるハンドル直径を持った能動型の歯科用装置のセットのうちの一つの斜視図を示す。
【図７ｂ】図７ｂは、異なるハンドル直径を持った能動型の歯科用装置のセットのうちの他の一つの斜視図を示す。
【図７ｃ】図７ｃは、異なるハンドル直径を持った能動型の歯科用装置のセットのうちの更に他の一つの斜視図を示す。
【図７ｄ】図７ｄは、異なるハンドル直径を持った能動型の歯科用装置のセットのうちの更に別な一つの斜視図を示す。
【図７ｅ】図７ｅは、異なるハンドル直径を持った能動型の歯科用装置のセットの斜視図を示す。
【図８ａ】図８ａは、異なるハンドル直径を持ち、人間工学的にデザインされた能動型の歯科用装置のセットのうちの一つの斜視図を示す。
【図８ｂ】図８ｂは、異なるハンドル直径を持ち、人間工学的にデザインされた能動型の歯科用装置のセットのうちの他の一つの斜視図を示す。
【図８ｃ】図８ｃは、異なるハンドル直径を持ち、人間工学的にデザインされた能動型の歯科用装置のセットのうちの更に他の一つの斜視図を示す。
【図８ｄ】図８ｄは、異なるハンドル直径を持ち、人間工学的にデザインされた能動型の歯科用装置のセットのうちの更に別な一つの斜視図を示す。
【図８ｅ】図８ｅは、異なるハンドル直径を持ち、人間工学的にデザインされた能動型の歯科用装置のセットのうちの一つを、手で把持した状態の斜視図を示す。
【図９】図９は、回転可能なチップを有する能動型の歯科用装置を示す。
【図１０】図１０は、回転ヘッドを有する能動型の歯科用装置の展開図を示す。
【図１１】図１１は、能動型の装置上に適合するようになされたハンドグリップを示す。
【手続補正１２】
【補正対象書類名】図面
【補正対象項目名】図８
【補正方法】削除
【補正の内容】
【手続補正１３】
【補正対象書類名】図面
【補正対象項目名】図８ａ
【補正方法】変更
【補正の内容】
【図８ａ】
2008513139.tif 000001
【手続補正１４】
【補正対象書類名】図面
【補正対象項目名】図８ｂ
【補正方法】追加
【補正の内容】
【図８ｂ】
2008513139.tif 000002
【手続補正１５】
【補正対象書類名】図面
【補正対象項目名】図８ｃ
【補正方法】追加
【補正の内容】
【図８ｃ】
2008513139.tif 000003
【手続補正１６】
【補正対象書類名】図面
【補正対象項目名】図８ｄ
【補正方法】追加
【補正の内容】
【図８ｄ】
2008513139.tif 000004
【手続補正１７】
【補正対象書類名】図面
【補正対象項目名】図８ｅ
【補正方法】追加
【補正の内容】
【図８ｅ】
2008513139.tif 000005